(57)【要約】【課題】段ボールシートの重なり合いに起因した段差を有効に低減して、段ボール箱の外面または内面の平滑化を図る。【解決手段】上面１ａおよび糊代１ｍは、段ボール箱に組み立てられた状態で、少なくとも一部が重なり合う。肉薄部１ｎは、上面１ａに設けられているとともに、上面１ａの端部を厚み方向に押し潰すことによって形成されている。肉薄部１ｏは、糊代１ｍに設けられ、糊代１ｍの端部を肉薄部１ｎとは反対の厚み方向に押し潰すことによって形成されている。段ボール箱に組み立てられた状態で、これらの肉薄部１ｎ，１ｏは互いに重なり合う。【選択図】図１
2011201594.tif 000002
【特許請求の範囲】
【請求項１】
組み立てて段ボール箱として用いられる段ボールシートにおいて、
前記段ボール箱に組み立てられた状態で、少なくとも一部が重なり合う一対のシート部位と、
前記一対のシート部位の一方に設けられているとともに、当該一方のシート部位の端部を厚み方向に押し潰すことによって形成された第１の肉薄部と、
前記一対のシート部位の他方に設けられ、当該他方のシート部位の端部を前記第１の肉薄部とは反対の厚み方向に押し潰すことによって形成されているとともに、前記段ボール箱に組み立てられた状態で、前記第１の肉薄部と重なり合う第２の肉薄部と
を有することを特徴とする段ボールシート。
【請求項２】
前記一方のシート部位は、開放端を有する第１の主面であって、
前記他方のシート部位は、前記段ボール箱を組み立てた状態で前記第１の主面と対向し、前記第１の主面とは異なる第２の主面に連結された糊代であることを特徴とする請求項１に記載された段ボールシート。
【請求項３】
前記一対のシート部位は、一対のフラップであることを特徴とする請求項１に記載された段ボールシート。
【請求項４】
物品収容体において、
少なくとも一部が重なり合う一対のシート部位と、前記一対のシート部位の一方に設けられた第１の肉薄部と、前記一対のシート部位の他方に設けられ、前記第１の肉薄部と重なり合う第２の肉薄部とを有し、前記第１の肉薄部は、前記一方のシート部位の端部を厚み方向に押し潰すことによって形成され、前記第２の肉薄部は、前記他方のシート部位の端部を前記第１の肉薄部とは反対の厚み方向に押し潰すことによって形成された段ボール箱と、
前記段ボール箱内に収容された物品と
を有することを特徴とする物品収容体。
【請求項５】
前記第１の肉薄部および前記第２の肉薄部が重なり合った部位の厚みは、前記一対のシート部位におけるそれ以外の部位の厚みと略同一であることを特徴とする請求項４に記載された物品収容体。
【請求項６】
前記一対のシート部位は、前記第１の肉薄部および前記第２の肉薄部において互いに係止されていることを特徴とする請求項４または５に記載された物品収容体。
【請求項７】
前記第１の肉薄部および前記第２の肉薄部は、前記段ボール箱の上面または下面に設けられていることを特徴とする請求項４から６のいずれかに記載された物品収容体。
【請求項８】
前記物品が収容された前記段ボール箱が複数段に積み上げられていることを特徴とする請求項７に記載された物品収容体。
【請求項９】
前記第１の肉薄部および前記第２の肉薄部は、前記段ボール箱の側面に設けられていることを特徴とする請求項４から６のいずれかに記載された物品収容体。
【発明の詳細な説明】
【技術分野】
【０００１】
本発明は、段ボールシートおよびこれを用いた物品収容体に関する。
【背景技術】
【０００２】
市場に流通する物品（商品）を搬送する際、物品を収容するための収容箱として段ボール箱が多用されている。段ボール箱は、平面状の段ボールシートを折り曲げることによって組み立てられ、その内部空間に物品が収容される。また、段ボール箱には、特許文献１，２，３のように、包装箱を開封し易くするために、開封時に手を切ってしまわないように、或いは、フラップ同士の係合を容易にするために、段ボール箱の外フラップの一部を押し潰して、外フラップに肉薄部を設けたものもある。一般に、この肉薄部の形成は、シートから段ボールシートを打ち抜き、一方向から一度にシートを押すことによって行われる。
【先行技術文献】
【特許文献】
【０００３】
【特許文献１】特開２００２−３７０７２８号公報
【特許文献２】特許第４２３０８５３号公報
【特許文献３】特開２００２−０１９７７０号公報
【発明の概要】
【発明が解決しようとする課題】
【０００４】
ところで、段ボールシートを折り曲げて段ボール箱を組み立てた際、段ボールシートが重なり合っている部分が存在する。例えば、同じ厚さの段ボールシートが段ボール箱のある面の一部で重なり合った場合、その面には段ボールシートが１枚しかない部分と２枚重なっている部分とが存在する。そして、これに起因して段ボール箱の外面または内面に段差が生じることになる（図５参照）。また、例えば、フラップに肉薄部があったとしても、すべての肉薄部を同一方向からシートを押し潰して形成した場合、組み立てられた段ボール箱における段ボールシートが重なっている部位で、押し潰された部分が同じ方向に重なる。その結果、やはり段ボール箱の外面または内面に段差が生じることになる。このような段差が存在すると、段ボール箱を取り扱う上で様々な問題が生じる。例えば、段ボール箱の上下（天地）の外面に段差が存在すると、段ボール箱を複数段に積み上げる際、積み上げられた段ボール箱が水平にならず、上段になるほど傾斜して崩れ易くなる。また、段ボール箱の外側面に段差が存在すると、段ボールシートの切断面が露出したり、側面に膨らみが生じて、外観上の見栄えの低下を招く。それとともに、荷積みの際に不自然な引っ掛かりが生じ易くなる。パレット間では複数の段ボール箱が積み上げられるが、押したり引いたりして段ボールの積み段を整える際に側面の引っ掛かりが生じると、意図しない段ボール箱が動いてしまうおそれがある。さらに、段ボール箱の内面に段差が存在すると、瓶、缶、ボトル等の物品を段ボール箱に収容する際または収容した後に、物品の一部、例えば、商品ラベルや瓶口、缶口、化粧函等が段ボール箱の内面に引っ掛かってしまうことがある。
【０００５】
そこで、本発明の目的は、段ボールシートの重なり合いに起因した段差を緩和して、段ボール箱の外面または内面の平滑化を図ることである。
【課題を解決するための手段】
【０００６】
かかる課題を解決すべく、第１の発明は、組み立てて段ボール箱として用いられ、一対のシート部位と、第１の肉薄部と、第２の肉薄部とを有する段ボールシートを提供する。一対のシート部位は、段ボール箱に組み立てられた状態で、少なくとも一部が重なり合う。第１の肉薄部は、一対のシート部位の一方に設けられているとともに、この一方のシート部位の端部を厚み方向に押し潰すことによって形成されている。第２の肉薄部は、一対のシート部位の他方に設けられ、この他方のシート部位の端部を第１の肉薄部とは反対の厚み方向に押し潰すことによって形成されている。段ボール箱に組み立てられた状態で、第１の肉薄部および第２の肉薄部は互いに重なり合う。
【０００７】
ここで、第１の発明において、一方のシート部位は開放端を有する第１の主面であって、他方のシート部位は段ボール箱を組み立てた状態で第１の主面と対向し、第１の主面とは異なる第２の主面に連結された糊代であってもよい。また、一対のシート部位は、一対のフラップであってもよい。
【０００８】
第２の発明は、段ボール箱と、この段ボール箱内に収容された物品とを有する物品収容体を提供する。段ボール箱は、少なくとも一部が重なり合う一対のシート部位と、一対のシート部位の一方に設けられた第１の肉薄部と、一対のシート部位の他方に設けられ、第１の肉薄部と重なり合う第２の肉薄部とを有する。第１の肉薄部は、一方のシート部位の端部を厚み方向に押し潰すことによって形成されており、第２の肉薄部は、他方のシート部位の端部を第１の肉薄部とは反対の厚み方向に押し潰すことによって形成されている。
【０００９】
ここで、第２の発明において、第１の肉薄部および第２の肉薄部が重なり合った部位の厚みは、一対のシート部位におけるそれ以外の部位の厚みと略同一であることが好ましい。また、一対のシート部位は、第１の肉薄部および第２の肉薄部において互いに係止されていてもよい。
【００１０】
また、第２の発明において、第１の肉薄部および第２の肉薄部は、段ボール箱の上面または下面に設けられていてもよい。この場合、物品が収容された上記段ボール箱が複数段に積み上げられていてもよい。また、第１の肉薄部および第２の肉薄部は、段ボール箱の側面に設けられていてもよい。
【発明の効果】
【００１１】
第１または第２の発明によれば、段ボールシートの重なり合いが生じる部位において、その端部を押し潰すことによって第１の肉薄部および第２の肉薄部を設ける。これらの肉薄部を押し潰す方向は逆向きなので、重ね合わせた際の厚みが有効に低減される。これにより、段差が緩和され、段ボール箱の外面または内面の平滑化を図ることができる。
【図面の簡単な説明】
【００１２】
【図１】段ボールシートの展開図
【図２】段ボールシートの要部断面図
【図３】肉薄部の形成工程の一例の説明図
【図４】段ボール箱の要部断面図
【図５】比較例における段ボール箱の要部断面図
【図６】積上状態における物品収容体の斜視図
【発明を実施するための形態】
【００１３】
図１は、本実施形態に係る型抜きされた段ボールシートの展開図であり、段ボールシートを内面から見た状態を示している。段ボールシート１は、これを組み立てて立体化することによって、瓶、缶、ボトル等の物品を収容する段ボール箱として用いられる。段ボールシート１は、段ボール箱としての基本形状を規定する４つの主面１ａ〜１ｄ、フラップ１ｅ〜１ｌおよび糊代１ｍといった各シート部位によって構成されている。以下、説明の便宜上、主面１ａを上面、主面１ｂを左面、主面１ｃを下面、主面１ｄを右面とし、フラップ１ｅ〜１ｈを前側、フラップ１ｉ〜１ｌを後側とする。また、段ボールシート１において、段ボールシート１を組み立てた際に物品を収容する側の面を内面、外側の面を外面とする。
【００１４】
上面１ａの右端は、何も連結されていない開放端となっており、その左端には、左に向かって左面１ｂ、下面１ｃ、右面１ｄの順で横一列に連結されている。そして、右面１ｄの左側には、糊代１ｍが連結されている。段ボール箱に組み立てられた状態において、糊代１ｍは、上面１ａの少なくとも一部、具体的には、上面１ａの右端部と重なり合う。一方、主面１ａ〜１ｄの下側には、前フラップ１ｅ〜１ｈがそれぞれ連結されているとともに、これらの上側には、後フラップ１ｉ〜１ｌがそれぞれ連結されている。段ボール箱の組立状態において、フラップ１ｆ，１ｈは互いに向き合うように延在し、これらが前側における一対の内フラップとなるとともに、フラップ１ｅ，１ｇも互いに向き合うように延在し、これらが前側における一対の外フラップとなる。一方、段ボール箱の組立状態において、フラップ１ｊ，１ｌは互いに向き合うように延在し、これらが後側における一対の内フラップとなるとともに、フラップ１ｉ，１ｋも互いに向き合うように延在し、これらが後側における一対の外フラップとなる。
【００１５】
同図に斜線領域で示すように、上面１ａの一部には肉薄部１ｎが設けられている。この肉薄部１ｎは、上面１ａの右端部を起点とした所定幅を有し、この端部の略全域に亘って延在している。図２に示すように、上面１ａに形成された肉薄部１ｎは、矢印で示した厚み方向、すなわち下方に向かって、段ボールシートを押し潰すことによって形成されている。肉薄部１ｎの外面(図２の下側）は、上面１ａ（肉薄部１ｎを除く）のそれと略面一であるが、肉薄部１ｎの内面（図２の上側）は、上面１ａ（肉薄部１ｎを除く）のそれから陥没し、端部に向かって平面状に延在している。肉薄部１ｎを除く上面１ａの厚みをＷ１、肉薄部１ｎの厚みをＷ２とすると、厚みＷ２は厚みＷ１よりも小さく、一例としてＷ１の１／２程度となっている。
【００１６】
一方、図１において肉薄部１ｎと同様の斜線領域で示すように、上面１ａと重なり合う糊代１ｍの一部には肉薄部１ｏが設けられている。この肉薄部１ｏは、糊代１ｍの左端部を起点とした所定幅を有し、この左端部の略全域に亘って延在している。図２に示すように、肉薄部１ｏは、肉薄部１ｎとは反対の厚み方向（矢印方向）、すなわち上方に向かって、段ボールシートを押し潰すことによって形成されている。肉薄部１ｏの外面（図２の下側）は、糊代１ｍ（肉薄部１ｏを除く）のそれと略面一であるが、肉薄部１ｏの内面（図２の上側）は、糊代１ｍ（肉薄部１ｏを除く）のそれから陥没し、端部に向かって平面状に延在している。肉薄部１ｏを除く糊代１ｍの厚みをＷ１、肉薄部１ｏの厚みをＷ２とすると、厚みＷ２は厚みＷ１よりも小さく、一例としてＷ１の１／２程度となっている。
【００１７】
図３（ａ），（ｂ）は、肉薄部１ｎ，１ｏの形成工程の一例の説明図である。同図（ａ）は、一方の肉薄部（例えば肉薄部１ｎ）の形成工程の一例を示す。段ボールシート１を切断する抜き刃物５の片側側面には、樹脂、コルク、ゴム等の弾性部材６が配置されている。この弾性部材６の下面は、抜き刃物５側を最下点として斜めに傾斜している。また、基台７側には、樹脂シートやＧテープ等よりなる突出部８が取り付けられている。この突出部８の上面は、抜き刃物５側を最上点として斜めに傾斜している。段ボールシート１を切断する場合、抜き刃物５と連動する弾性部材６の下降によって段ボールシート１の上面が押圧され、これによって、段ボールシート１の中芯が厚み方向に押し潰され、一方の肉薄部１ｎが形成される。同図（ｂ）は、他方の肉薄部（例えば肉薄部１ｏ）の形成工程の一例を示す。基台７における抜き刃物５と対向する部位の両側面には、上述した弾性部材６および突出部８が配置されている。段ボールシート１を切断する場合、抜き刃物５の下降によって段ボールシート１の下面が弾性部材６に押圧され、これによって、段ボールシート１の中芯が厚み方向に押し潰され、他方の肉薄部１ｏが形成される。この形成方法によれば、段ボールシート１の切断と、反対方向に押し潰す肉薄部１ｎ，１ｏの形成とを単一の工程で同時に行うことができる。
【００１８】
なお、図３（ａ），（ｂ）の構成において、弾性部材６と対向する位置に押さえ部材を配置し、これらの部材で段ボールシート１を挟み込むようにすれば、段ボールシート１をより効果的に押し潰すことができる。また、肉薄部１ｎ，１ｏの形成方法は、同図（ａ），（ｂ）に示すものに限定されるものではなく、段ボールシート１を逆方向に陥没させることができるものであれば、それぞれを別工程で行う場合も含めて、どのような方法を採用してもよい。
【００１９】
以上のような型抜きされた段ボールシート１から段ボール箱を組み立てる工程では、例えば、以下の作業（１）〜（３）が行われる。
（１）物品の配置
展開状態の段ボールシート１の内面を上に向けた状態で、収容すべき所定個の物品（瓶、缶、ボトル等）を所定の本数だけ下面１ｃ上に配置する。
（２）段ボールシート１の折り曲げ
物品が配置された段ボールシート１を、図１の点線部分に沿って折り曲げる。これにより、上面１ａの一部と糊代１ｍとが重なり合って、一対の肉薄部１ｎ，１ｏも重なり合う
（３）段ボールシート１の係止
糊代部１ｍを折り曲げによって重なり合った上面１ａに係止するとともに、段ボール箱における前後の開口部を閉じる。段ボールシート１の係止手段としては、接着材、両面テープ、留め具、ホットメルト等が用いられる。肉薄部１ｎ，１ｏを係止手段で係止することによって、糊代部１ｍが上面１ａに固定される。また、折り曲げられた一対の内フラップ１ｆ，１ｈの外側に、折り曲げられた一対の外フラップ１ｅ，１ｇを係止することによって、段ボール箱の前方の開口部が閉じられる。さらに、折り曲げられた一対の内フラップ１ｊ，１ｌの外側に、折り曲げられた一対の外フラップ１ｉ，１ｋを係止することによって、段ボール箱の後方開口部が閉じられる。これによって、物品が収容された段ボール箱、すなわち物品収容体が完成する。
【００２０】
図４は、組み立てられた段ボール箱の要部断面図である。この段ボール箱１’において、開放端を有する上面１ａは、上面１ａとは異なる右面１ｄに連結された糊代１ｍと対向しているとともに、肉薄部１ｎ，１ｏも重なり合っている。この重なり合っている部分の厚みは、肉薄部単体の厚みＷ２の２倍であり、押し潰した分だけ本来の重なり合いの厚み２×Ｗ１よりも薄くなる。その結果、図５に示すような押し潰し処理を施さない比較例と比べて、上面１ａや糊代１ｍとの間に生じる段差が緩和される。特に、肉薄部１ｎ，１ｏが重なり合った部位の厚み２×Ｗ２がそれ以外の部位の厚みＷ１と略同一であれば、段差をほぼ解消できるので好ましい。
【００２１】
このように、本実施形態によれば、段ボール箱１’を組み立てる際に、段ボールシート１の重なり合いが生じる部位において、その端部を含む領域を押し潰すことによって肉薄部１ｎ，１ｏを設ける。これらの肉薄部１ｎ，１ｏの押し潰す方向は互いに逆なので、重ね合わせた際の厚みが有効に低減される。これにより、段差が緩和されて段ボール箱１’の内外面の平滑化を図ることができる。
【００２２】
特に、本実施形態のように、段ボール箱１’の上面の段差を緩和する場合には、図６に示すように、複数段に積み上げられた段ボール箱１’（物品２が収容された物品収容体）の荷崩れを有効に防止できるという効果がある。なぜなら、肉薄部１ｎ，１ｏによって上面の段差を緩和することで、上段の傾斜も低減されるからである。この点は、段ボール箱１’の下面に肉薄部１ｎ，１ｏを設けた場合であっても同様である。
【００２３】
なお、上述した実施形態では、段差を緩和するための肉薄部１ｎ，１ｏを段ボール箱１’の上面または下面に設けるケースについて説明したが、本発明は、これに限定されるものではなく、段ボール箱１’の組立状態で少なくとも一部が重なり合うような一対のシート部位であれば、どのような箇所であってもよい。例えば、フラップも含めて段ボール箱１’の側面に設けてもよい。段ボール箱１’の側面に設ける場合には、段ボールシート１の切断面の露出や側面の膨らみを抑制できるため、外観上の見栄えの低下を防止できる。それとともに、荷積みの際に不自然な引っ掛かりを有効に防止できる。それとともに、瓶、缶、ボトルといった物品の収容時または収容後において、商品ラベル、瓶口、缶口、化粧函等が段ボール箱１’の内面に引っ掛かってしまうことも抑制できる。
【産業上の利用可能性】
【００２４】
以上のように、本発明に係る段ボールシートおよび物品収容体は、段ボールシートの重なり合いに起因した段差を緩和して、段ボール箱の内外面の平滑化を図る用途に対して、広く適用できる。
【符号の説明】
【００２５】
１  段ボールシート
１ａ〜１ｄ  主面
１ｅ〜１ｌ  フラップ
１ｍ  糊代
１ｎ，１ｏ  肉薄部
１’  段ボール箱
２  物品
５  抜き刃物
６  弾性部材
７  基台
８  突出部
【図１】
2011201594.tif 000003
【図２】
2011201594.tif 000004
【図３】
2011201594.tif 000005
【図４】
2011201594.tif 000006
【図５】
2011201594.tif 000007
【図６】
2011201594.tif 000008